(57)【要約】【課題】  待受時だけでなく、呼出動作後においても商用電源から電力の供給を受けなくても動作可能なインターホン装置を提供する。【解決手段】  玄関子機１に、太陽電池１０と、その発電量を検出する発電量検出回路１１と、太陽電池１０から居室親機２への電源供給をオン／オフ操作する子機側スイッチ１３と、発電量検出回路１１の検出値が所定値以上であったら、居室親機２に対して電源供給開始コマンドを送信すると共に子機側スイッチ１３を閉成操作する子機ＣＰＵ６とを設け、居室親機２に、電源回路１５からの電源の供給をオン／オフ操作する第１及び第２親機側スイッチ１９ａ，１９ｂと、電源供給開始コマンドを受信したら第１及び第２親機側スイッチ１９ａ、１９ｂを開成操作して電源回路１５からの電源供給を遮断する制御を行う親機ＣＰＵ１６とを設けた。【選択図】  図１
2005217637.tif 000002
【特許請求の範囲】
【請求項１】
玄関に設置される玄関子機と、住戸内に設置され、伝送線を介して前記玄関子機に接続される居室親機とを備え、少なくとも起動時は前記居室親機に設けた電源回路により商用電源から前記居室親機及び前記伝送線を介して前記玄関子機に電源を供給するインターホン装置であって、
前記玄関子機は、発電した電力を前記玄関子機と前記伝送線を介して前記居室親機とに供給可能な太陽電池と、前記太陽電池の発電量を検出する発電量検出回路と、前記太陽電池から前記居室親機への電源供給路を開閉操作する子機側スイッチと、前記発電量検出回路の検出値が所定値以上であったら、前記居室親機に対して電源供給開始コマンドを送信すると共に前記子機側スイッチを閉成操作する子機制御手段とを備え、
前記居室親機は、前記電源回路からの電源供給路を開閉操作する親機側スイッチと、前記電源供給開始コマンドを受信したら前記親機側スイッチを開成操作して前記電源回路からの電源供給をオフする制御を行う親機制御手段とを備えたことを特徴とするインターホン装置。
【請求項２】
玄関に設置される玄関子機と、住戸内に設置され、伝送線を介して前記玄関子機に接続され、る居室親機とを備え、少なくとも起動時は前記居室親機に設けた電源回路により商用電源から前記居室親機及び前記伝送線を介して前記玄関子機に電源を供給するインターホン装置であって、
前記玄関子機は、発電した電力を前記玄関子機と前記伝送線を介して前記居室親機とに供給可能な太陽電池を備え、
前記居室親機は、前記伝送線の電圧を検出する電圧検出回路と、前記電源回路からの電源供給路を開閉操作する親機側スイッチとを備え、
前記電圧検出回路は、検出電圧が第１の所定電圧を超えたら、前記親機側スイッチを開成操作して前記電源回路からの電源供給をオフする制御を行い、検出電圧が前記第１の所定値より低い第２の所定値を下回ったら、前記親機側スイッチを閉成操作して前記電源回路からの電源供給をオンする制御を行うことを特徴とするインターホン装置。
【請求項３】
前記居室親機は、前記太陽電池から供給される電源が前記電源回路に流れ込むのを阻止する逆流防止素子を有することを特徴とする請求項２記載のインターホン装置。
【請求項４】
前記第１の所定値は、前記電源回路の出力電圧より高い電圧値であることを特徴とする請求項２又は３記載のインターホン装置。
【請求項５】
前記第２の所定値は、前記電源回路の出力電圧より低い電圧値であることを特徴とする請求項２乃至４の何れかに記載のインターホン装置。
【発明の詳細な説明】
【技術分野】
【０００１】
本発明は、インターホン装置に関し、特に太陽電池を設けてインターホン装置の消費電力を削減する技術に関する。
【背景技術】
【０００２】
太陽電池を設けて商用電源からの電力消費の削減を図った従来のインターホン装置としては、特許文献１に示す構成のものがある。これは、居室親機に太陽電池を設け、その発電電荷を基にして玄関子機からの呼び出し操作を検知してスイッチ素子をオンさせ、商用電源の供給を開始させている。こうすることで、待受時は商用電源の供給を受けないようにしている。
【特許文献１】特開２００１−２８５４９８号公報
【発明の開示】
【発明が解決しようとする課題】
【０００３】
上述するように、上記特許文献１の技術は、待受時に商用電源の供給を受けないので、消費電力を削減できる。しかしながら、呼出動作後は居室親機に設けられた電源回路から供給を受けて動作するため、相変わらず主要電源は商用電源であり消費電力を大きく削減するまでには至らなかった。
そこで、本発明は上記問題点に鑑み成されたもので、待受時だけでなく、呼出動作後においても商用電源から電力の供給を受けなくても動作可能なインターホン装置を提供することを目的とする。
【課題を解決するための手段】
【０００４】
上記課題を解決するため、請求項１に記載の発明は、玄関に設置される玄関子機と、住戸内に設置され、伝送線を介して玄関子機に接続される居室親機とを備え、少なくとも起動時は居室親機に設けた電源回路により商用電源から居室親機及び伝送線を介して玄関子機に電源を供給するインターホン装置であって、玄関子機は、発電した電力を玄関子機と伝送線を介して居室親機とに供給可能な太陽電池と、太陽電池の発電量を検出する発電量検出回路と、太陽電池から居室親機への電源供給路を開閉操作する子機側スイッチと、発電量検出回路の検出値が所定値以上であったら、居室親機に対して電源供給開始コマンドを送信すると共に子機側スイッチを閉成操作する子機制御手段とを備え、居室親機は、電源回路からの電源供給路を開閉操作する親機側スイッチと、電源供給開始コマンドを受信したら親機側スイッチを開成操作して電源回路からの電源供給をオフする制御を行う親機制御手段とを備えたことを特徴とする。
この発明により、太陽電池で発電した電力を玄関子機だけでなく居室親機にも供給可能としたので、玄関子機の商用電源からの消費電力を削減できるだけでなく、呼出動作後の居室親機の動作においても太陽電池の発電電力で賄うことが可能となり、商用電源からの電力消費を大きく削減することが可能となる。また、太陽電池の発電量が充分の時は、電源回路の出力をスイッチにより遮断するので、効果的に削減できる。
【０００５】
請求項２の発明は、玄関に設置される玄関子機と、住戸内に設置され、伝送線を介して玄関子機に接続され、る居室親機とを備え、少なくとも起動時は居室親機に設けた電源回路により商用電源から居室親機及び伝送線を介して玄関子機に電源を供給するインターホン装置であって、玄関子機は、発電した電力を玄関子機と伝送線を介して居室親機とに供給可能な太陽電池を備え、居室親機は、伝送線の電圧を検出する電圧検出回路と、電源回路からの電源供給路を開閉操作する親機側スイッチとを備え、電圧検出回路は、検出電圧が第１の所定電圧を超えたら、親機側スイッチを開成操作して電源回路からの電源供給をオフする制御を行い、検出電圧が第１の所定値より低い第２の所定値を下回ったら、親機側スイッチを閉成操作して電源回路からの電源供給をオンする制御を行うことを特徴とする。
この発明により、太陽電池で発電した電力を玄関子機だけでなく居室親機にも供給可能としたので、玄関子機の商用電源からの消費電力を削減できるだけでなく、呼出動作後の居室親機の動作においても太陽電池の発電電力で賄うことが可能となり、商用電源からの消費電力を大きく削減することが可能となる。また、太陽電池の発電量が充分の時は、電源回路の出力をスイッチにより遮断するので、効果的に削減できるし、親機側スイッチのオン操作電圧とオフ操作電圧が異なるので、親機側スイッチのチャタリング動作を防止できる。更に、居室親機側で太陽電池の発電電圧を検出するので、玄関子機の構成を簡素化できる。
【０００６】
請求項３の発明は、請求項２に記載の発明において、居室親機は、太陽電池から供給される電源が電源回路に流れ込むのを阻止する逆流防止素子を有することを特徴とする。
この発明によれば、太陽電池の発電電圧が電源回路の出力電圧より大きくなっても電源回路が劣化することがない。
【０００７】
請求項４の発明は、請求項２又は３記載の発明において、第１の所定値は、電源回路の出力電圧より高い電圧値であることを特徴とする。
この発明によれば、電源回路の出力電圧を基準に第１の所定値を作り易く、太陽電池から電源を供給可能であることを判別し易い。
【０００８】
請求項５の発明は、請求項２乃至４の何れかに記載の発明において、第２の所定値は、電源回路の出力電圧より低い電圧値であることを特徴とする。
この発明によれば、第２の所定値を作りやすい。
【発明の効果】
【０００９】
このように、太陽電池で発電した電力を玄関子機だけでなく居室親機にも供給可能としたので、玄関子機の商用電源からの消費電力を削減できるだけでなく、呼出動作後においても居室親機を太陽電池の発電電力で賄うことが可能となる。その結果、商用電源からの電力消費を削減でき、電力使用料を削減できる。
【発明を実施するための最良の形態】
【００１０】
以下、本発明を具体化した実施の形態を、図面に基づいて詳細に説明する。
（第１実施形態）
図１は本発明に係るインターホン装置の第１実施形態を示すブロック図であり、１は玄関に設置される玄関子機、２は住戸内に設置される居室親機であり、両者は伝送線３で接続されている。
玄関子機１は、伝送線３を介して居室親機２と通信すると共に電力の伝送をするための子機インターフェイス回路５、玄関子機１の各回路を制御する子機制御手段としての子機ＣＰＵ６、マイク及びスピーカを備えて居室親機２と通話を行うための子機通話部７、居住者を呼び出すための呼出ボタン８、呼出操作を検出する呼出検出回路９、太陽電池１０、太陽電池１０の発電量としての電圧を検出する発電量検出回路１１、太陽電池１０の発電電力を居室親機２に供給するための電源供給路１２、そして電源供給路１２に設けられて玄関子機ＣＰＵ６に制御されて居室親機２への電源供給をオン／オフ操作する子機側スイッチ１３を備えている。
【００１１】
居室親機２は、伝送線３を介して玄関子機１と通信すると共に電力を伝送するための親機インターフェイス回路１４、商用電源に接続されて居室親機２の各回路と玄関子機に電源を供給するための電源回路１５、居室親機２の各回路を制御する親機制御手段としての親機ＣＰＵ１６、マイク及びスピーカを備えて玄関子機１と通話するための親機通話部１７、電源回路１５から玄関子機１へ電源を供給するための第１電源供給路１８ａ、電源回路１５から居室親機の各回路へ電源を供給するための第２電源供給路１８ｂ、親機ＣＰＵ１６に制御されて玄関子機１への電源供給をオン／オフ制御する第１親機側スイッチ１９ａ、親機ＣＰＵ１６に制御されて居室親機２への電源の供給をオン／オフ制御する第２親機側スイッチ１９ｂを備えている。
【００１２】
このように構成されたインターホン装置は次のように動作する。なお、インターホン装置の基本動作である呼出ボタン８による呼出操作、及びその応答による親機通話部１７と子機通話部７との間の通話動作は、本発明の要旨ではないので省略し、太陽電池１０及び電源回路１５を中心とした電源部の作用を説明する。
まず、インターホン装置起動時は、第１及び第２親機側スイッチ１９ａ，１９ｂは閉成状態、子機側スイッチ１３は開成状態にあり、居室親機２の電源回路１５から居室親機２の各回路及び伝送線３を介して玄関子機１へ電源が供給されている。この状態において、太陽電池１０に太陽光が照射されると発電を開始する。この発電電圧は、発電量検出回路１１で検出され、子機ＣＰＵ６により発電電圧が監視される。そして、発電電圧が所定値を超えたら、子機ＣＰＵ６は居室親機２に対して電源供給開始コマンドを送出し、子機インターフェイス回路５、伝送線３を介して居室親機２に伝送する。同時に子機ＣＰＵ６は、子機側スイッチ１３を閉成操作する。尚、所定値は、少なくとも居室親機２を良好に駆動できる電圧であればよく、通常は電源回路１５の出力電圧に設定すれば良い。
【００１３】
一方、居室親機２は、送られてきた電源供給開始コマンドを、親機インターフェイス回路１４を介して親機ＣＰＵ１６で受信する。親機ＣＰＵ１６は、電源供給開始コマンドを受信したら第１及び第２親機側スイッチ１９ａ，１９ｂを開成させて、電源回路１５から玄関子機１及び居室親機２の各回路への電源の供給を遮断する。これにより、太陽電池１０から発電量検出回路１１、子機側スイッチ１３、子機インターフェイス回路５を介して居室親機２へ電源が供給され、電源回路１５からの電源供給は無くなる。
【００１４】
そして、発電量検出回路１１の検出する発電電圧が所定値以下となったとき、子機ＣＰＵ６は、居室親機２に対して電源供給停止コマンドを送出する。電源供給停止コマンドは、子機インターフェイス回路５、伝送線３を介して居室親機２へ送られ、親機インターフェイス回路１４を介して親機ＣＰＵ１６で受信される。電源供給停止コマンドを受信した親機ＣＰＵ１６は、第１及び第２親機側スイッチ１９ａ，１９ｂを閉成させて電源回路１５からの電源供給を再開する。同時に子機ＣＰＵ６は、子機側スイッチ１３を開成させる。その結果、太陽電池１０からの電源供給は停止され、電源回路１５から、玄関子機１及び居室親機２に電源が供給される。
【００１５】
このように、太陽電池の発電電圧が所定値を超えた十分な状態では玄間子機だけでなく居室親機にも発電電力を供給するので、呼出操作後の通話動作においても商用電源を使用することなくインターホン装置を動作させることが可能であり、商用電源からの電力消費を大きく削減できる。また、太陽電池の発電量が充分の時は、電源回路の出力をスイッチにより遮断するので、効果的に削減できる。
そして、太陽電池に十分な発電量がない場合は、居室親機の電源回路を介して玄関子機にも商用電源が供給されるので、装置の動作が不安定になることがない。
【００１６】
尚、図１では、太陽電池１０の発電電力が玄関子機１に常時供給するよう構成されているが、子機側スイッチ１３に連動するスイッチを設けて子機側スイッチ１３が開成動作するときは同様に開成させて太陽電池１０から玄関子機１の各回路への電源供給路を遮断させても良い。また、子機インターフェイス回路５から玄関子機１の各回路には、伝送線３を介して居室親機２から電源が供給される電源供給路を有しているが、ここでは省略してある。
更に、ここでは、発電量の所定値を１つ設定して、その発電量以下では電源回路１５からの玄関子機１及び居室親機２の双方に電源を供給する構成としているが、発電量が玄関子機１は駆動できるが居室親機２は駆動できない程度の場合は、第１及び第２親機側スイッチ１９ａ，１９ｂの動作を独立して動作させても良い。この場合、居室親機２の電源だけ電源回路１５から供給する。即ち第２親機側スイッチ１９ｂのみ閉成するようにすると良く、こうすることで商用電源の使用量は最小限に留めることができる。
【００１７】
（第２実施形態）
図２のブロック図は本発明のインターホン装置の第２の実施形態を示し、２１は玄関に設置される玄関子機、２２は住戸内に設置される居室親機であり、両者は伝送線２３で接続されている。
玄関子機２１は、伝送線２３を介して居室親機２２と通信すると共に電力を伝送するための子機インターフェイス回路２５、マイク及びスピーカを備えて居室親機２２と通話を行うための子機通話部２７、居住者を呼び出すための呼出ボタン２８、呼出操作を検出する呼出検出回路２９、そして太陽電池３０を備えている。なお、この太陽電池３０は、図示しない電源供給路により玄関子機２１の各回路に電源を供給するよう構成されていると共に、子機インターフェイス回路２５を介して、伝送線２３に電力を送出できる構成となっている。
【００１８】
居室親機２２は、伝送線２３を介して玄関子機２１と通信すると共に電力を伝送するための親機インターフェイス回路３４、商用電源に接続されて居室親機２２の各回路と玄関子機に電源を供給するための電源回路３５、マイク及びスピーカを備えて玄関子機２１と通話するための親機通話部３７、電源回路３５から玄関子機２１へ電源を供給するための第１電源供給路３８ａ、電源回路３５から居室親機２２の各回路へ電源を供給するための第２電源供給路３８ｂ、伝送線２３の電圧を検出する電圧検出回路３９、電圧検出回路３９に制御されて玄関子機２１への電源の供給をオン／オフ制御する第１親機側スイッチ４０ａ、同様に電圧検出回路３９に制御されて居室親機２２への電源の供給をオン／オフ制御する第２親機側スイッチ４０ｂを備えている。また、４１ａ，４１ｂは電流の逆流防止素子としてのダイオードである。
【００１９】
このように構成されたインターホン装置は次のように動作する。なお、インターホン装置の基本動作である呼出ボタン２８による呼出操作、及びその応答による親機通話部３７と子機通話部２７との間の通話動作は、本発明の要旨ではないので省略し、太陽電池３０及び電源回路３５を中心とする電源部の作用を説明する。
まず、インターホン装置起動時は、第１及び第２親機側スイッチ４０ａ，４０ｂは閉成状態にあり、電源回路３５から、居室親機２２の各回路及び親機インターフェイス回路３４及び伝送線２３を介して玄関子機２１に略１１ボルトの直流電源が供給されている。この状態において、太陽電池３０に太陽光が照射されると発電を開始する。この発電電圧は、伝送線２３の電圧を検出する電圧検出回路３９により検出される。
【００２０】
そして、電圧検出回路３９は、検出電圧が１２ボルト（第１の所定値）を超えたら、第１及び第２親機側スイッチ４０ａ，４０ｂを開成して電源回路３５から玄関子機２１及び居室親機２２の各回路への電源の供給を遮断する。これにより、太陽電池３０から子機インターフェイス回路２５、伝送線２３を介して居室親機２２へ電源が供給され、電源回路３５による電源供給は無くなる。また、検出電圧が１０ボルト（第２の所定値）を下回ったら、第１及び第２親機側スイッチ４０ａ，４０ｂを閉成して電源回路３５からの電源供給を再開する。
【００２１】
このように、太陽電池の発電電圧が所定値を超えた状態では玄間子機だけでなく居室親機にも発電電力を供給するので、呼出操作後の通話動作においても商用電源を使用することなくインターホン装置を動作させることが可能であり、商用電源からの電力消費を大きく削減できる。また、太陽電池の発電量が充分の時は、電源回路の出力をスイッチにより遮断するので、効果的に削減できる。そして、太陽電池に十分な発電量がない場合は、居室親機の電源回路を介して玄関子機にも商用電源が供給されるので、装置の動作が不安定になることがない。
更に、第１及び第２親機側スイッチの閉成操作電圧と開成操作電圧が異なるので、電源回路、太陽電池からの供給が頻繁に切り替わるようなチャタリング動作を防止できるし、居室親機側で太陽電池の発電電圧を検出するので、玄関子機の構成を簡素化できる。
また、第１の所定値を電源回路の出力電圧（１１ボルト）より高く設定してあるので、電源回路の出力電圧を基準として太陽電池が十分発電していることを容易に検出することができるし、第２の所定値を電源回路の出力電圧よりも低く設定してあるので、設定値を得やすい。
更に、電源回路の出力部に設けたダイオードにより、第１及び第２親機側スイッチが閉成した状態で、太陽電池の発電電圧が電源回路の出力電圧より高くなっても、電源回路に悪影響を及ぼすようなことがない。
【００２２】
尚、第２の実施形態において、太陽電池３０の発電電力は、玄関子機２１に常時供給するよう構成されているが、スイッチを設けて、第１及び第２親機側スイッチ４０ａ，４０ｂを制御する電圧検出回路３９の制御信号により親機側スイッチ４０ａ，４０ｂが閉成動作するときは開成させて、太陽電池３０から玄関子機各回路への電源供給路を遮断させても良い。また、玄関子機２１には、子機インターフェイス回路２５、伝送線２３を介して、居室親機２２から電源が供給される電源供給路を有しているが、ここでは省略してある。
更に、太陽電池３０の発電電圧が１０ボルト（第２の所定値）を下回ったら電源回路３５から玄関子機２１及び居室親機２２の双方に電源を供給する構成としているが、第１の所定値と第２の所定値の間に第３の所定値を設けることにより、第１及び第２親機側スイッチ４０ａ，４０ｂの動作を独立して動作させても良い。この場合、居室親機２２の電源だけ電源回路３５から供給する、即ち第２親機側スイッチ４０ｂのみ閉成するようにすると良く、こうすることで商用電源の使用量は最小限に留めることができる。
【００２３】
図３のブロック図は、第１実施形態のインターホン装置の変形例を示している。図３において、４４は太陽電池１０の発電する電荷を蓄電する蓄電装置、４５はその蓄電量を検出する蓄電量検出回路、４６は来訪者を撮像するカメラ、４７は映像変調回路、４８は映像復調回路、４９はカメラの撮像映像を映し出すテレビモニタであり、図１と同一の構成要素には同一の符号を付与してある。
このように、蓄電装置を設けて太陽電池の発電量を蓄電することで、太陽電池による発電が不十分であっても蓄電装置に蓄電した電荷を電源にでき、電源回路を使用する頻度を更に削減して商用電源の使用量を更に削減することが可能となる。また、カメラ及びそのモニタを備えたインターホン装置であっても、玄関子機に太陽電池を設けて消費電力を削減できる。
【００２４】
また、図４は第２実施形態のインターホン装置の変形例を示し、上記図３と同様に玄関子機２１にカメラ４６、映像変調回路４７を設け、居室親機２２に映像復調回路４８、テレビモニタ４９を設けている。このように、第２の実施形態のインターホン装置に、カメラ及びそのモニタを備えてインターホン装置を構成しても、容易に対応でき玄関子機に太陽電池を設けて消費電力を削減できる。
【図面の簡単な説明】
【００２５】
【図１】本発明に係るインターホン装置の第１実施形態を示すブロック図である。
【図２】本発明に係るインターホン装置の第２実施形態を示すブロック図である。
【図３】図１のインターホン装置の変形例を示すブロック図である。
【図４】図２のインターホン装置の変形例を示すブロック図である。
【符号の説明】
【００２６】
１・・玄関子機、２・・居室親機、３・・伝送線、６・・子機ＣＰＵ（子機制御手段）、１０・・太陽電池、１１・・発電量検出回路、１２・・電源供給路、１３・・子機側スイッチ、１５・・電源回路、１６・・親機ＣＰＵ（親機制御手段）、１８ａ・・第１電源供給路、１８ｂ・・第２電源供給路、１９ａ・・第１親機側スイッチ（親機側スイッチ）、１９ｂ・・第２親機側スイッチ（親機側スイッチ）、２１・・玄関子機、２２・・居室親機、２３・・伝送線、３０・・太陽電池、３５・・電源回路、３８ａ・・第１電源供給路、３８ｂ・・第２電源供給路、３９・・電圧検出回路、４０ａ・・第１親機側スイッチ（親機側スイッチ）、４０ｂ・・第２親機側スイッチ（親機側スイッチ）、４１ａ，４１ｂ・・ダイオード（逆流防止素子）。
【図１】
2005217637.tif 000003
【図２】
2005217637.tif 000004
【図３】
2005217637.tif 000005
【図４】
2005217637.tif 000006